(57)【要約】    【課題】複層方向に重なりあるいは平面方向に隣接するインク印字面の境界部分のインクの滲みを防止するとともに、ヘッド部の小型化を図る。    【解決手段】ヘッド部に、それぞれ色の異なるインクを吐出する印字ヘッドを互いにインク吐出ノズルの配列ラインがほぼ平行となるように複数副走査方向に対して並列に配設する。各印字ヘッドのインク吐出ノズルの使用範囲を副走査方向に対して前後に分割して前半エリアと後半エリアとに分割制御する。コントローラの制御により、印字データに基づいて、複数の印字ヘッドの中から１つ又は複数の印字ヘッドを選択し、該選択した印字ヘッドの前半エリアのインク吐出ノズルを使用して印字媒体の前半エリアの印字幅に相当するバンドエリアに印字を行い、印字媒体を前記ヘッド部に対して副走査方向に相対移動させた後、印字ヘッド中の任意の印字ヘッドの後半エリアのインク吐出ノズルを使用して、前半エリアで印字したバンドエリアに印字を行う。【選択図】  図１
2010076102.tif 000002
【特許請求の範囲】
【請求項１】
印字媒体に対して主走査方向及びこれと直交する副走査方向に相対的に移動可能なヘッド部に、副走査方向に沿って並ぶ複数のインク吐出ノズルを有する複数の印字ヘッドを互いにインク吐出ノズルの配列ラインがほぼ平行となるように副走査方向に対して並列に配設し、コントローラの制御により前記ヘッド部を前記印字媒体に対して主走査方向と副走査方向に相対移動させ、前記印字ヘッドのインク吐出ノズルからインクを吐出して前記印字媒体に複数の色からなる印字を行うインクジェット印字装置であって、前記各印字ヘッドのインク吐出ノズルの使用範囲を前記副走査方向に対して複数のエリアに分割し、コントローラの制御により、印字データに基づいて、前記複数の印字ヘッドの中から１つ又は複数の印字ヘッドを選択し、該選択した印字ヘッドの複数のエリアの中の１つのエリアのインク吐出ノズルを使用して前記印字媒体に印字を行い、前記印字媒体を前記ヘッド部に対して副走査方向に相対移動させた後、前記印字ヘッド中の任意の印字ヘッドの複数のエリアの中の１つのエリアのインク吐出ノズルを使用して、前記選択した印字ヘッドの分割エリアで印字した領域に印字を行うようにしたことを特徴とするインクジェット印字装置。
【請求項２】
前記各印字ヘッドのインク吐出ノズルの使用範囲を前記副走査方向に対して前後に分割して前半エリアと後半エリアとし、コントローラの制御により、印字データに基づいて、前記複数の印字ヘッドの中から１つ又は複数の印字ヘッドを選択し、該選択した印字ヘッドの前記前半エリアのインク吐出ノズルを使用して前記印字媒体の前記前半エリアの印字幅に相当するバンドエリアに印字を行い、前記印字媒体を前記ヘッド部に対して副走査方向に相対移動させた後、前記印字ヘッド中の任意の印字ヘッドの前記後半エリアのインク吐出ノズルを使用して、前記前半エリアで印字したバンドエリアに印字を行うようにしたことを特徴とする請求項１に記載のインクジェット印字装置。
【請求項３】
前記各印字ヘッドのインク吐出ノズルの使用範囲を４分割し、コントローラの制御により、印字データに基づいて、前記複数の印字ヘッドの中から１つ又は複数の印字ヘッドを選択し、該選択した印字ヘッドの分割エリアのインク吐出ノズルを使用して前記印字媒体に印字を行い、前記印字媒体を前記ヘッド部に対して副走査方向に相対移動させた後、前記印字ヘッド中の任意の印字ヘッドの分割エリアのインク吐出ノズルを使用して、前記選択した印字ヘッドの分割エリアで印字した領域に印字を行うようにしたことを特徴とする請求項１に記載のインクジェット印字装置。
【請求項４】
前記複数の印字ヘッドが互いに副走査方向に同一の印字幅を有することを特徴とする請求項１乃至３の中のいずれかに記載のインクジェット印字装置。
【請求項５】
前記複数の印字ヘッドが、白インクを吐出する印字ヘッドと、ブラック（Ｋ）、シアン（Ｃ）、マゼンタ（Ｍ）、イエロー（Ｙ）の中の少なくとも１つの色のインクを吐出する印字ヘッドとの組み合わせであることを特徴とする請求項１乃至３の中のいずれかに記載のインクジェット印字装置。
【請求項６】
前記コントローラは、印字データに基づいて、白のインクを吐出する印字ヘッドを選択し、前記ヘッド部の主走査方向の走査で前記印字媒体に前記白の印字ヘッドの分割エリアのインク吐出ノズルを使用して白色印字面を印字し、該白色印字面の印字走査後の次の前記ヘッド部の主走査方向の走査で前記白の印字面を印字した領域に白以外の印字ヘッドの分割エリアのインク吐出ノズルを使用して色付きの印字面を印字するようにし、白の印字面が白以外の色付きの印字面より先に前記バンドエリアに印字されるようにしたことを特徴とする請求項５に記載のインクジェット印字装置。
【請求項７】
前記コントローラは、印字データに基づいて、白以外のインクを吐出する印字ヘッドを選択し、前記ヘッド部の主走査方向の走査で前記印字媒体に前記白以外の印字ヘッドの分割エリアのインク吐出ノズルを使用して色付き印字面を印字し、該色付き印字面の印字走査後の次の前記ヘッド部の主走査方向の走査で前記色付き印字面に印字したエリアに白の印字ヘッドの分割エリアのインク吐出ノズルを使用して白の印字面を印字するようにし、白の印字面が色付きの印字面より後に前記印字媒体に印字されるようにしたことを特徴とする請求項５に記載のインクジェット印字装置。
【請求項８】
前記複数の印字ヘッドが、白（Ｗ）、ブラック（Ｋ）、シアン（Ｃ）、マゼンタ（Ｍ）、イエロー（Ｙ）の各色のインクを吐出する印字ヘッドの中の少なくとも２つ以上の印字ヘッドの組み合わせであることを特徴とする請求項１乃至３の中のいずれかに記載のインクジェット印字装置。
【請求項９】
前記選択した印字ヘッドが、ブラック（Ｋ）、シアン（Ｃ）、マゼンタ（Ｍ）、イエロー（Ｙ）の各色のインクを吐出する印字ヘッドの中の１つの印字ヘッド又は、２つ以上の印字ヘッドであり、選択された印字ヘッドにより印字される印字面の色が単色または混色であることを特徴とする請求項１乃至３のいずれかに記載のインクジェット印字装置。
【請求項１０】
各々色の異なるインクを吐出する複数の印字ヘッドが、副走査方向に対して並列に配設されたヘッド部を印字媒体に対して主走査方向とこれと直交する副走査方向に相対移動させ、前記印字ヘッドのインク吐出ノズルからインクを吐出して前記印字媒体に印字を行うインクジェット印字方法であって、前記各印字ヘッドのインク吐出ノズルの使用範囲を前記副走査方向に対して複数のエリアに分割し、印字データに基づいて、前記複数の印字ヘッドの中から１つ又は複数の印字ヘッドを選択し、該選択した印字ヘッドの複数のエリアの中の１つのエリアのインク吐出ノズルを使用して前記印字媒体に印字を行い、前記印字媒体を前記ヘッド部に対して副走査方向に相対移動させた後、前記印字ヘッド中の任意の印字ヘッドの複数のエリアの中の１つのエリアのインク吐出ノズルを使用して、前記選択した印字ヘッドの分割エリアで印字した領域に印字を行うようにしたことを特徴とするインクジェット印字方法。
【請求項１１】
前記各印字ヘッドのインク吐出ノズルの使用範囲を前記副走査方向に対して前後に分割して前半エリアと後半エリアとし、印字データに基づいて、前記複数の印字ヘッドの中から１つ又は複数の印字ヘッドを選択し、該選択した印字ヘッドの前記前半エリアのインク吐出ノズルを使用して前記印字媒体の前半エリアの印字幅に相当するバンドエリアに印字を行い、前記印字媒体を前記ヘッド部に対して副走査方向に相対移動させた後、前記印字ヘッド中の任意の印字ヘッドの前記後半エリアのインク吐出ノズルを使用して、前記前半エリアで印字したバンドエリアに印字を行うようにしたことを特徴とする請求項１０に記載のインクジェット印字方法。
【請求項１２】
前記各印字ヘッドのインク吐出ノズルの使用範囲を４分割し、コントローラの制御により、印字データに基づいて、前記複数の印字ヘッドの中から１つ又は複数の印字ヘッドを選択し、該選択した印字ヘッドの分割エリアのインク吐出ノズルを使用して前記印字媒体に印字を行い、前記印字媒体を前記ヘッド部に対して副走査方向に相対移動させた後、前記印字ヘッド中の任意の印字ヘッドの分割エリアのインク吐出ノズルを使用して、前記選択した印字ヘッドの分割エリアで印字した領域に印字を行うようにしたことを特徴とする請求項１０に記載のインクジェット印字方法。
【請求項１３】
前記複数の印字ヘッドが互いに同一の印字幅を有することを特徴とする請求項１０乃至１２の中のいずれか１つに記載のインクジェット印字方法。
【請求項１４】
前記複数の印字ヘッドが、白インクを吐出する印字ヘッドと、ブラック（Ｋ）、シアン（Ｃ）、マゼンタ（Ｍ）、イエロー（Ｙ）の中の少なくとも１つの色のインクを吐出する印字ヘッドとの組み合わせであることを特徴とする請求項１０乃至１２の中のいずれか１つに記載のインクジェット印字方法。
【請求項１５】
印字データに基づいて、白のインクを吐出する印字ヘッドを選択し、前記ヘッド部の主走査方向の走査で前記印字媒体に前記白の印字ヘッドのインク吐出ノズルを使用して白色印字面を印字し、該白色印字面の印字走査後の次の前記ヘッド部の主走査方向の走査で前記白の印字面を印字した領域に白以外の印字ヘッドの後半エリアのインク吐出ノズルを使用して色付きの印字面を印字するようにし、白の印字面が白以外の色付きの印字面より先に前記印字媒体に印字されるようにしたことを特徴とする請求項１０に記載のインクジェット印字方法。
【請求項１６】
印字データに基づいて、白以外のインクを吐出する印字ヘッドを選択し、前記ヘッド部の主走査方向の走査で前記印字媒体のバンドエリアに前記白以外の印字ヘッドの前半エリアのインク吐出ノズルを使用して色付き印字面を印字し、該白色印字面の印字走査後の次の前記ヘッド部の主走査方向の走査で前記色付き印字面に印字した領域に白の印字ヘッドの分割エリアのインク吐出ノズルを使用して白の印字面を印字するようにし、白の印字面が色付きの印字面より後に前記印字媒体に印字されるようにしたことを特徴とする請求項１４に記載のインクジェット印字方法。
【請求項１７】
前記複数の印字ヘッドが、白（Ｗ）、ブラック（Ｋ）、シアン（Ｃ）、マゼンタ（Ｍ）、イエロー（Ｙ）の各色のインクを吐出する印字ヘッドの中の少なくとも２つ以上の印字ヘッドの組み合わせであることを特徴とする請求項１０乃至１２の中のいずれか１つに記載のインクジェット印字方法。
【請求項１８】
前記選択した印字ヘッドが、ブラック（Ｋ）、シアン（Ｃ）、マゼンタ（Ｍ）、イエロー（Ｙ）の各色のインクを吐出する印字ヘッドの中の１つの印字ヘッド又は、２つ以上の印字ヘッドであり、選択された印字ヘッドにより印字される印字面の色が単色または混色であることを特徴とする請求項１０乃至１２の中のいずれか１つに記載のインクジェット印字方法。
【発明の詳細な説明】
【技術分野】
【０００１】
本発明は、カラーインクを吐出する印字ヘッドを複数搭載したヘッド部と印字媒体とを主走査方向と副走査方向に相対移動させ、印字媒体にカラー画像を印刷する印字装置及び印字方法に関する。
【背景技術】
【０００２】
従来、通常使用される、ブラック（Ｋ）、シアン（Ｃ）、マゼンタ（Ｍ）、イエロー（Ｙ）即ち、黒、青、赤、黄の各色のインク以外に白（ホワイトＷ）インクを使用して印字するインクジェット印字装置が知られている。また、用紙の搬送方向に対して、カラー印字ヘッドの上下に、白インクを吐出する印字ヘッドを設けて、ブラック（Ｋ）、シアン（Ｃ）、マゼンタ（Ｍ）、イエロー（Ｙ）などのカラー印字ヘッドによる印字の前や後に白インクを印字できる機構を設けたインクジェット式の描画装置が従来知られている（例えば特許文献１参照）。  
【特許文献１】特開２００６−１２３２９３号公報
【発明の開示】
【発明が解決しようとする課題】
【０００３】
従来のブラック（Ｋ）、シアン（Ｃ）、マゼンタ（Ｍ）、イエロー（Ｙ）のカラーインク以外に白（Ｗ）インクを使用する印字装置では、白のインクと他のインクの重ね方向又は平面方向の境界で色の滲みが目立ちやすくなるという問題がある。
また、白インク用の印字ヘッドをＫＣＭＹなどのカラー印字ヘッドの上下に設ける構造では、白インクの印字ヘッドの数が２倍必要になり、コスト高となるという問題がある。また、この場合、ヘッド部が縦方向に大きくなるため、ヘッド部をできるだけ小さくしたいという場合に問題がある。
本発明は上記問題点を解決することを目的とするものである。
【課題を解決するための手段】
【０００４】
上記目的を達成するため、本発明は、印字媒体に対して主走査方向及びこれと直交する副走査方向に相対的に移動可能なヘッド部に、副走査方向に沿って並ぶ複数のインク吐出ノズルを有する複数の印字ヘッドを互いにインク吐出ノズルの配列ラインがほぼ平行となるように副走査方向に対して並列に配設し、コントローラの制御により前記ヘッド部を前記印字媒体に対して主走査方向と副走査方向に相対移動させ、前記印字ヘッドのインク吐出ノズルからインクを吐出して前記印字媒体に複数の色からなる印字を行うインクジェット印字装置であって、前記各印字ヘッドのインク吐出ノズルの使用範囲を前記副走査方向に対して複数のエリアに分割し、コントローラの制御により、印字データに基づいて、前記複数の印字ヘッドの中から１つ又は複数の印字ヘッドを選択し、該選択した印字ヘッドの複数のエリアの中の１つのエリアのインク吐出ノズルを使用して前記印字媒体に印字を行い、前記印字媒体を前記ヘッド部に対して副走査方向に相対移動させた後、前記印字ヘッド中の任意の印字ヘッドの複数のエリアの中の１つのエリアのインク吐出ノズルを使用して、前記選択した印字ヘッドの分割エリアで印字した領域に印字を行うようにしたものである。
また本発明は、前記各印字ヘッドのインク吐出ノズルの使用範囲を前記副走査方向に対して前後に分割して前半エリアと後半エリアとし、コントローラの制御により、印字データに基づいて、前記複数の印字ヘッドの中から１つ又は複数の印字ヘッドを選択し、該選択した印字ヘッドの前記前半エリアのインク吐出ノズルを使用して前記印字媒体の前記前半エリアの印字幅に相当するバンドエリアに印字を行い、前記印字媒体を前記ヘッド部に対して副走査方向に相対移動させた後、前記印字ヘッド中の任意の印字ヘッドの前記後半エリアのインク吐出ノズルを使用して、前記前半エリアで印字したバンドエリアに印字を行うようにしたものである。
また本発明は、前記各印字ヘッドのインク吐出ノズルの使用範囲を４分割し、コントローラの制御により、印字データに基づいて、前記複数の印字ヘッドの中から１つ又は複数の印字ヘッドを選択し、該選択した印字ヘッドの分割エリアのインク吐出ノズルを使用して前記印字媒体に印字を行い、前記印字媒体を前記ヘッド部に対して副走査方向に相対移動させた後、前記印字ヘッド中の任意の印字ヘッドの分割エリアのインク吐出ノズルを使用して、前記選択した印字ヘッドの分割エリアで印字した領域に印字を行うようにしたものである。
また本発明は、前記複数の印字ヘッドが互いに副走査方向に同一の印字幅を有することを特徴とする。
また本発明は、前記複数の印字ヘッドが、白インクを吐出する印字ヘッドと、ブラック（Ｋ）、シアン（Ｃ）、マゼンタ（Ｍ）、イエロー（Ｙ）の中の少なくとも１つの色のインクを吐出する印字ヘッドとの組み合わせであることを特徴とする。
また本発明は、前記コントローラは、印字データに基づいて、白のインクを吐出する印字ヘッドを選択し、前記ヘッド部の主走査方向の走査で前記印字媒体に前記白の印字ヘッドの分割エリアのインク吐出ノズルを使用して白色印字面を印字し、該白色印字面の印字走査後の次の前記ヘッド部の主走査方向の走査で前記白の印字面を印字した領域に白以外の印字ヘッドの分割エリアのインク吐出ノズルを使用して色付きの印字面を印字するようにし、白の印字面が白以外の色付きの印字面より先に前記バンドエリアに印字されるようにしたものである。
また本発明は、前記コントローラは、印字データに基づいて、白以外のインクを吐出する印字ヘッドを選択し、前記ヘッド部の主走査方向の走査で前記印字媒体に前記白以外の印字ヘッドの分割エリアのインク吐出ノズルを使用して色付き印字面を印字し、該色付き印字面の印字走査後の次の前記ヘッド部の主走査方向の走査で前記色付き印字面に印字したエリアに白の印字ヘッドの分割エリアのインク吐出ノズルを使用して白の印字面を印字するようにし、白の印字面が色付きの印字面より後に前記印字媒体に印字されるようにしたものである。
また本発明は、前記複数の印字ヘッドが、白（Ｗ）、ブラック（Ｋ）、シアン（Ｃ）、マゼンタ（Ｍ）、イエロー（Ｙ）の各色のインクを吐出する印字ヘッドの中の少なくとも２つ以上の印字ヘッドの組み合わせであることを特徴とする。
また本発明は、前記選択した印字ヘッドが、ブラック（Ｋ）、シアン（Ｃ）、マゼンタ（Ｍ）、イエロー（Ｙ）の各色のインクを吐出する印字ヘッドの中の１つの印字ヘッド又は、２つ以上の印字ヘッドであり、選択された印字ヘッドにより印字される印字面の色が単色または混色であることを特徴とする。
【発明の効果】
【０００５】
本発明は、ヘッド部に並列配置した各印字ヘッドのインク吐出ノズル列の使用範囲を変更制御するだけで、印字する色の重なりの順序を簡単に逆にすることが可能である。
また、全インク吐出ノズルを使用しての印字もインク吐出ノズルの使用範囲を変更するだけで可能となる。
更に、印字の前や後に印字するための特定の印字ヘッドを他の印字ヘッドの前後に設ける必要がないので、印字ヘッドの個数が少なくてすみ、ヘッド部の小型化が可能となる。
更に、白インクを用いた印字など、色の境界部分でインクが滲みやすいものにおいても、白インクと他のインクによる印字のタイミングが違うため、先に印字された領域のインクが乾いた後に同じ印字領域に他のインクによる印字がなされる事になるので、両者の間の滲みが抑えられ、良好な印字結果が得られる。
【発明を実施するための最良の形態】
【０００６】
以下に本発明の構成を添付した図面を参照して詳細に説明する。
図１０は、本発明の一実施形態を示すインクジェット印字装置の概略全体構成を示している。インクジェットプリンタ本体２は、コンピュータ回路を含むコントローラ４によって制御され、該コントローラ４はコネクタ６を介してスキャナ（図示省略）が接続された外部のコンピュータ８に接続されている。コンピュータ８は取り込まれた画像を種々のアプリケーションプログラムにより扱うことができる。
【０００７】
コントローラ４又はコンピュータ８には、印字ヘッドのインク吐出ノズルの使用範囲を副走査方向に対して前後に分割して前半エリアと後半エリアとに分割し、印字データに基づいて、複数の印字ヘッドの中から１つ又は複数の印字ヘッドを選択し、選択した印字ヘッドの前半エリアのインク吐出ノズルを使用して印字媒体の前半エリアの印字幅に相当するバンドエリアに印字を行い、印字媒体をヘッド部に対して副走査方向に相対移動させた後、印字ヘッド中の任意の印字ヘッドの後半エリアのインク吐出ノズルを使用して、前半エリアで印字したバンドエリアに印字を行う印字プログラムが組み込まれている。
【０００８】
コンピュータ８は、印刷出力すべき印字データをプリンタ本体２に実装されたコントローラ４に送信する。コントローラ４は、入力された画像などの印字データを、色変換処理、階調処理等によって、ビットマップデータに変換し、ビットマップメモリに記憶する。コントローラ４は、受信したデータの解析を行い、プリンタ本体２の駆動部を制御する。プリンタ本体２は、紙送りモータによってロール紙などの印字媒体１０を矢方向Ｂに搬送する副走査送り機構と、キャリッジモータによってキャリッジ１２を、駆動ローラ１４の軸方向に往復動させる主走査送り機構とを有している。
【０００９】
ここで、副走査送り機構による印字媒体１０の送り方向Ｂを副走査方向と言い、主走査送り機構によるキャリッジ１２の移動方向Ａを主走査方向という。なお、印字という用語は、単なる文字を書くという意味ではなく、画像、記号等を含む広い概念で使用している。キャリッジ１２にはヘッド部１６が連結されている。ヘッド部１６は、副走査方向に対して並列に並び、異なる色のインクを吐出する複数の、互いに同一の形状及び構造を有する印字ヘッド３０を搭載している。
【００１０】
本実施形態では、ヘッド部１６は、図７に示すように、互いに同一幅の印字範囲を有する５個のカラー印字ヘッド３０を搭載し、左から主走査方向に、白（Ｗ）、ブラック（Ｋ）、シアン（Ｃ）、マゼンタ（Ｍ）、イエロー（Ｙ）のインクを吐出する印字ヘッド３０がＷＫＣＭＹの順で並んでいる。各印字ヘッド３０は、副走査方向に多数のインク吐出ノズルが一定のノズルピッチで配列され、これら多数のインク吐出ノズルは副走査方向（搬送方向）に延びるノズルアレイを構成している。各印字ヘッド３０のノズルアレイは１列状又は複数列状の構成を採用することができる。
【００１１】
前記キャリッジ１２は、ベルト駆動ローラ１８，２０に掛け渡されたヘッド駆動用ベルト２２によって、Ｙ軸レール（図示省略）に沿って主走査方向Ａに往復駆動される。印字媒体１０は、駆動ローラ１４及びピンチローラ２４によって副走査方向に駆動され、プラテン２６上を摺動する。印字媒体１０としては、ロール紙や透明なプラスチックボード等が使用される。キャリッジ１２の位置は、ヘッド部１６に設けられたセンサとこれに対向するように設けられたリニアスケール２８とからなるリニアエンコーダからのタイミングフェンス信号によって検出される。
【００１２】
上記した構成において、通常の２パス方式による印字動作を行う場合について図７を参照して説明する。
印字動作がスタートすると、コントローラ４の制御により、キャリッジ１２は、Ｙ軸レールに沿って印字媒体１０の右側の原位置から、印字媒体１０を横切る、主走査方向に往復駆動され、ヘッド部１６に搭載された５色の印字ヘッド３０の中の選択したノズルからインク滴を吐出させ、印字媒体１０に印字ヘッド３０の印字幅Ａに相当するバンドエリアＤに１バンド分の印字データを印字する。印字ヘッド１６が印字媒体１０の右側の原位置に達すると、コントローラ４は、印字媒体１０を副走査方向Ｂに１バンド分即ち印字ヘッド３０の印字幅分Ａだけ移動させて、次の主走査方向の印字動作を実行する。上記プリンタ本体２、コントローラ４及びコンピュータ８は、全体として印字装置を構成する。
【００１３】
次に、コンピュータ８又はコントローラ４に格納した印字プログラムにより、白が先に印字される場合の印字動作について図１，２を参照して説明する。
この用途の印字プログラムは、透明なボードなどに白のインクを塗って、その上に色の付いた画像を印字する場合や、色が付いている画像と白色の印字面とを印字媒体の同一印字面上で境界を接して印字したい場合などに使用される。  図１は、各印字ヘッド３０の使用するノズル列の範囲を、ノズル列の真ん中から前半エリアａと後半エリアｂとに２分割して、印字媒体１０の１バンド領域ｄに最初に白色を印字し、つぎの走査で、白色を印字したバンド領域ｄにＫＣＭＹの混色で印字する動作を示している。
【００１４】
図１において、コントローラは、まず、ヘッド部１６を、印字媒体１０の右側に位置する原位置から左方向（主走査方向）に移動し、白の印字ヘッド３０の前半エリアａを使用して、印字媒体１０の、前半エリアａの印字幅分に対応したバンド領域ｄに白インクで１バンド分の白色印字データの半分を印字する。  次にコントローラは、ヘッド部１６を、図１中、印字媒体１０の左側の位置から右方向に移動し、白の印字ヘッド３０の前半エリアａのインク吐出ノズルを使用して、印字媒体１０のバンド領域ｄに、１バンド分の白色データの残りのデータを印字し、ヘッド部１６は、図１中、右側の原位置に復帰する。これにより、印字媒体１０の１バンド領域ｄに対する白色の印字を完了する。
【００１５】
次に、コントローラは、図２に示すように、印字媒体１０を、１バンド分下方向（搬送方向）に移動する。次にコントローラは、ヘッド部１６を、印字媒体１０の右側の復帰原位置から左方向に移動し、ＫＣＭＹの各印字ヘッド３０の後半エリアｂを使用して、印字媒体１０の、白色印字済みバンド領域ｄに１バンド分のＫＣＭＹ混色印字データの半分のＫＣＭＹ混色印字データを印字するとともに、印字媒体１０の次バンド領域ｄ２に、１バンド分の白色データの半分のデータを印字する。次に、コントローラは、ヘッド部１６を、図２中、印字媒体１０の左側の位置から右方向に移動し、ＫＣＭＹの印字ヘッド３０の後半エリアｂのインク吐出ノズルを使用して、印字媒体１０の白色印字済みバンド領域ｄに、１バンド分のＫＣＭＹデータの残りのデータを印字する。このとき、コントローラは、白色印字ヘッド３０の前半エリアａのインク吐出ノズルを使用して、印字媒体１０の次バンド領域ｄ２に、１バンド分の白色データの残りの半分のデータを印字する。
【００１６】
以上の動作を繰り返すことによって、図８（Ａ）に示すように、印字媒体１０の印字面に、先に白色が塗られ、この白色印字面３２に重ねて、図８（Ｃ）に示すように、ＫＣＭＹ混色印字データによる混色印字面３４が印字される。また、混色印字面３４と境界を接して、互いに重ならないように、白色印字面３２を塗ることもできる。この場合には、図８（Ｂ）に示すように、先に、バンドごとに混色図形用のエリア３６を残して、白色印字面３２を印字し、この白色印字動作の後に、混色図形用のエリア３６に、混色図形を印字する。この場合、印字媒体１０に先に印字された白インクの方が、後に印字される混色インクよりも先に乾くので、混色印字面３４と白色印字面３２との重ね部分や境界の色の滲みが抑えられる。
【００１７】
次に、図９（Ａ）（Ｂ）に示すように、透明なボードなどの印字媒体１０に、鏡面データで色付きの印字面３８を印字し、この印字面３８の上に白色のベタ塗りの印字面３２を印字する場合や、図９（Ｃ）に示すように、最初、色付きで印字した混色印字面３８にその境界３８’を接して、互いに重ならないように、白色印字面３２を印字する場合のように、白色が後に印字される場合について、図３，４を参照して説明する。
【００１８】
コントローラは、図３において、先にＫＣＭＹの各印字ヘッド３０の前半エリアａのインク吐出ノズルを使用して、印字媒体１０のバンド領域ｄに、ヘッド部１６の左右の往復走査（２パス）で、１バンド分のＫＣＭＹの鏡面データを印字し、次に、図４において、１バンド分、印字媒体１０を搬送方向に搬送し、次にヘッド部１６の左右往復走査で、印字媒体１０のＫＣＭＹの混色印字済みバンド領域ｄに、白の印字ヘッド３０の後半エリアｂのインク吐出ノズルを使用して、白色の印字を行うとともに、印字媒体１０の次のバンドエリアｄ２に、ＫＣＭＹ印字ヘッド３０の前半エリアａのインク吐出ノズルを使用して、１バンド分のＫＣＭＹの鏡面データを印字し、この動作を繰り返す。この印字動作によって、図９（Ｂ）の印字面が印字される。
【００１９】
図９（Ｄ）の印字面は、鏡面データ又は、通常のＫＣＭＹデータが図３−４に示す印字動作によって、ＫＣＭＹ印字ヘッド３０の前半エリアａのインク吐出ノズルを使用して印字媒体１０に印字される。
上記実施形態は、いずれも白色印字と混色印字との重ね印字動作や、境界隣接印字動作であるが、白色以外の単色印字と、混色印字との重ね印字や境界隣接印字にも本発明を用いることができる。
【００２０】
図５，６は、イエローＹの単色印字面に、ＫＣＭＹの混色印字面を重ねて印字したり、あるいは、イエローＹの単色印字面とＫＣＭＹの混色印字面を境界を接して印字する動作を示している。この印字動作においては、イエローＹの単色印字面が乾いた後に、混色印字面が印字されるため、両印字面の重ね部分や境界に色の滲みが生じることがない。
図５において、コントローラは、Ｙ（イエロー）の印字ヘッド３０の前半エリアａのノズルアレイを使用して、ヘッド部１６を往復走査（２パス）し、印字媒体１０のバンド領域ｄにイエロー色の印字面を印字する。
【００２１】
次に、図６に示すように、印字媒体１０を１バンド分、搬送方向に搬送した後、ＫＣＭＹの印字ヘッド３０の後半エリアｂのインク吐出ノズルを使用して、Ｙの単色印字済みバンド領域ｄに、ヘッド部１６を往復走査し、ＫＣＭＹの印字面を印字するとともに、Ｙ印字ヘッド３０の前半エリアａのインク吐出ノズルを使用して、印字媒体１０の、次バンド領域ｄ２にイエロー色の単色印字面を印字し、この動作を繰り返す。
本発明は、図１−６を参照して、ヘッド部１６の主走査方向の往復走査で、１バンド分の印字を完了する２パス方式を用いて、印字動作を説明したが、本発明の走査方式は、この方式に特に限定されるものではなく、１パス、４パス等、従来の走査方式を採用することができる。
【００２２】
また、本発明の実施形態では、前半エリアａ，後半エリアｂで説明しているが、特にノズルアレイの分割数は２つに限定されるものではなく、４分割その他種々の分割が可能である。
図１１は、各印字ヘッド３０の使用するノズル列の範囲を、ノズル列の真ん中から前半エリアａと後半エリアｂとに２分割して、更に前半エリアａと後半エリアｂをそれぞれ２分割し、これら分割エリアを使用して、印字媒体１０の１バンド領域ｄ’に最初に白色を印字し、つぎの走査で、白色を印字したバンド領域ｄにＫＣＭＹの混色で印字し、この動作を繰り返して行う印字動作を示している。
【００２３】
図１１おいて、コントローラは、まず、ヘッド部１６を、印字媒体１０の右側に位置する原位置から左方向（主走査方向）に移動し、白の印字ヘッド３０の前半エリアａの１／２のエリアａ’を使用して、印字媒体１０の、前半エリアａの１／２のエリアａ’の印字幅分に対応したバンド領域ｄ’に白インクで１バンド分の白色印字データの１／２を印字する。  
【００２４】
次にコントローラは、図１２に示すように、印字媒体１０を、１バンド分下方向（搬送方向）に移動する。次にコントローラは、ヘッド部１６を、印字媒体１０の左側の位置から右方向（主走査方向）に移動し、白の印字ヘッド３０の前半エリアａの１／２のエリアａ’’のインク吐出ノズルを使用して、印字媒体１０のバンド領域ｄ’に、１バンド分の白色データの残りの１／２のデータを印字するとともに、前半エリアａの１／２のエリアａ’の印字幅分に対応した次バンド領域ｄ２’に白インクで１バンド分の白色印字データの１／２を印字する。これにより、印字媒体１０の１バンド領域ｄ’に対する白色の印字を完了する。
【００２５】
次に、コントローラは、印字媒体１０を、１バンド分下方向（搬送方向）に移動する。次にコントローラは、ヘッド部１６を、印字媒体１０の右側の復帰原位置から左方向に移動し、ＫＣＭＹの各印字ヘッド３０の後半エリアｂの１／２のエリアのインク吐出ノズルを使用して、印字媒体１０の、白色印字済みバンド領域ｄ’に１バンド分のＫＣＭＹ混色印字データの半分のＫＣＭＹ混色印字データを印字するとともに、印字媒体１０の次バンド領域ｄ２’に、１バンド分の白色データの半分のデータを印字し、この動作を繰り返す。これにより、図８（Ａ）に示すように、印字媒体１０の印字面に、先に白色が塗られ、この白色印字面３２に重ねて、図８（Ｃ）に示すように、ＫＣＭＹ混色印字データによる混色印字面３４が印字される。
【００２６】
尚、図１１，１２の動作において、乾燥という点だけを考慮するのであれば、白の印字ヘッド３０の前半エリアａの１／２エリアａ’だけ使用して、バンド領域ｄ’を１パスで印字し（バンド領域ｄ’の白の印字完了）、図１２中、ヘッド部１６の右方向の戻りの動作では、他の１／２エリアａ’’のインク吐出ノズルを使用しない制御であっても良い。
また、上記実施形態では、前半エリアと後半エリアを２分割て説明しているが、使用しないインク吐出ノズルを設けてその部分を除いた範囲を分割してもよいため、均等に分割するものに限定されるものではく、仕様により種々の変更が可能である。
【図面の簡単な説明】
【００２７】
【図１】本発明の説明図である。
【図２】本発明の説明図である。
【図３】本発明の説明図である。
【図４】本発明の説明図である。
【図５】本発明の説明図である。
【図６】本発明の説明図である。
【図７】本発明の説明図である。
【図８】本発明の説明図である。
【図９】本発明の説明図である。
【図１０】本発明に係る印字装置の全体概略構成図である。
【図１１】本発明の他の実施形態の説明図である。
【図１２】本発明の他の実施形態の説明図である。
【符号の説明】
【００２８】
２      プリンタ本体
４      コントローラ
６      コネクタ
８      コンピュータ
１０    印字媒体
１２    キャリッジ
１４    駆動ローラ
１６    ヘッド部
１８    ベルト駆動ローラ
２０    ベルト駆動ローラ
２２    ベルト
２４    ピンチローラ
２６    プラテン
２８    リニアスケール
３０    印字ヘッド
３２    白色印字面
３４    混色印字面
３６    エリア
３８    印字面
【図１】
2010076102.tif 000003
【図２】
2010076102.tif 000004
【図３】
2010076102.tif 000005
【図４】
2010076102.tif 000006
【図５】
2010076102.tif 000007
【図６】
2010076102.tif 000008
【図７】
2010076102.tif 000009
【図８】
2010076102.tif 000010
【図９】
2010076102.tif 000011
【図１０】
2010076102.tif 000012
【図１１】
2010076102.tif 000013
【図１２】
2010076102.tif 000014